(57)【要約】【課題】施工現場における排煙系統の風量測定を効率化できる施工管理システムを提供することを課題とする。【解決手段】風速測定器と連動して排煙口の風量測定を行う携帯端末と、グループの風量測定に関する情報及び風量測定の結果を管理するサーバ装置とが、通信を行う施工管理システムであって、サーバ装置は、施工現場の図面上の位置を指定した排煙口のグループの情報を携帯端末に提供する手段と、携帯端末からの風量測定の結果を保存する手段と、を有し、携帯端末は、施工現場の図面上の位置に排煙口を表すアイコンで排煙口のグループを表示する手段と、風速測定器と連動して排煙口の風量測定を行う手段と、風量測定の結果をサーバ装置に送信する手段と、を有することで課題を解決する。【選択図】図１
2020166382.tif 000002
【特許請求の範囲】
【請求項１】
風速測定器と連動して排煙口の風量測定を行う１台以上の携帯端末と、排煙時に同時開放される排煙口のグループの風量測定に関する情報及び前記排煙口のグループの風量測定の結果を管理するサーバ装置とが、ネットワークを介して通信を行う施工管理システムであって、
前記サーバ装置は、
施工現場の図面上の位置を指定した前記排煙口のグループの情報を前記携帯端末に提供する提供手段と、
前記携帯端末から受信した前記排煙口のグループの風量測定の結果を保存する保存手段と、
を有し、
前記携帯端末は、
前記サーバ装置から提供された前記排煙口のグループの情報に基づき、前記施工現場の図面上の位置に前記排煙口を表すアイコンで前記排煙口のグループを表示する表示処理手段と、
前記風速測定器と連動して前記排煙口の風量測定を行う測定デバイス制御手段と、
前記排煙口のグループの風量測定の結果を前記サーバ装置に送信する送信手段と、
を有すること、を特徴とする施工管理システム。
【請求項２】
前記表示処理手段は、前記測定デバイス制御手段が前記風速測定器と連動して測定した前記排煙口のグループの合計測定風量と、前記排煙口のグループの合計設計風量との比較結果に基づき、前記排煙口のグループの測定風量の合否を表示すること
を特徴とする請求項１記載の施工管理システム。
【請求項３】
前記表示処理手段は、前記風量測定が完了した前記排煙口を表すアイコンの色と前記風量測定が完了していない前記排煙口を表すアイコンの色とを異なるように更新すること
を特徴とする請求項１又は２記載の施工管理システム。
【請求項４】
前記表示処理手段は、前記排煙口を表すアイコンの間に紐付け線を配置することで前記排煙口のグループを表示すること
を特徴とする請求項１乃至３何れか一項記載の施工管理システム。
【請求項５】
前記保存手段は、前記排煙口のグループの風量測定の結果を、異なる記録環境に保存可能であること
を特徴とする請求項１乃至４何れか一項記載の施工管理システム。
【請求項６】
前記施工現場の図面上の位置を指定した前記排煙口のグループの情報は、ＢＩＭ（ビルディングインフォメーションモデリング）データから読み出して利用するか、ユーザに登録させて利用すること、
を特徴とする請求項１乃至５何れか一項記載の施工管理システム。
【請求項７】
風速測定器と連動して排煙口の風量測定を行う１台以上の携帯端末と、排煙時に同時開放される排煙口のグループの風量測定に関する情報及び前記排煙口のグループの風量測定の結果を管理するサーバ装置とが、ネットワークを介して通信を行う施工管理システムの施工管理方法あって、
前記サーバ装置から提供される施工現場の図面上の位置を指定した前記排煙口のグループの情報に基づき、前記施工現場の図面上の位置に前記排煙口を表すアイコンで前記排煙口のグループを前記携帯端末が表示する表示処理ステップと、
前記携帯端末が前記風速測定器と連動して前記排煙口の風量測定を行う測定デバイス制御ステップと、
前記排煙口のグループの風量測定の結果を前記携帯端末が前記サーバ装置に送信する送信ステップと、
前記携帯端末から受信した前記排煙口のグループの風量測定の結果を前記サーバ装置が保存する保存ステップと、
を実行すること、を特徴とする施工管理方法。
【請求項８】
風速測定器と連動して、排煙時に同時開放される排煙口のグループの風量測定を行う携帯端末であって、
前記排煙口のグループの風量測定に関する情報及び前記排煙口のグループの風量測定の結果を管理するサーバ装置から提供された前記排煙口のグループの情報に基づき、施工現場の図面上の位置に前記排煙口を表すアイコンで前記排煙口のグループを表示する表示処理手段と、
前記風速測定器と連動して前記排煙口の風量測定を行う測定デバイス制御手段と、
前記排煙口のグループの風量測定の結果を前記サーバ装置に送信する送信手段と、
を有すること、を特徴とする携帯端末。
【請求項９】
風速測定器と連動して、排煙時に同時開放される排煙口のグループの風量測定を行う携帯端末を、
前記排煙口のグループの風量測定に関する情報及び前記排煙口のグループの風量測定の結果を管理するサーバ装置から提供された前記排煙口のグループの情報に基づき、施工現場の図面上の位置に前記排煙口を表すアイコンで前記排煙口のグループを表示する表示処理手段、
前記風速測定器と連動して前記排煙口の風量測定を行う測定デバイス制御手段、
前記排煙口のグループの風量測定の結果を前記サーバ装置に送信する送信手段、
として機能させるためのプログラム。
【発明の詳細な説明】
【技術分野】
【０００１】
本発明は施工管理システム、施工管理方法、携帯端末及びプログラムに関する。
【背景技術】
【０００２】
施工現場において行われる現場業務には、現場における試運転調整が含まれる。例えば空調系統（吹出口）や排煙系統（排煙口）の試運転調整では、風量測定が行われる。施工管理を行うユーザは現場において測定した測定データを、例えば事務所で整理し、帳票を作成していた。なお、施工現場における空調系統の風量測定を効率化できる施工管理システムは従来から知られている（例えば特許文献１参照）。
【先行技術文献】
【特許文献】
【０００３】
【特許文献１】特開２０１８−１６３４２２号公報
【発明の概要】
【発明が解決しようとする課題】
【０００４】
排煙系統の試運転調整では、火災時に発生した煙を建物の外に排出し、避難経路の安全を確保するための排煙設備の風量測定を行う。例えば排煙設備は、ダクトの入口に設けられた排煙口及びダクトの出口に設けられた排煙機を利用して、火災時に発生した煙を建物の外に排出する。排煙口は通常時に閉塞しており、火災時、火災の発生した火災発生室に応じて選択開放される。火災時に選択開放（同時開放）される排煙口のグループは、火災発生室に対して定められている。
【０００５】
このように、排煙系統の試運転調整では、火災時に同時開放される排煙口のグループごとに風量測定を行う必要があるが、施工現場において、火災時に同時開放される排煙口のグループを把握しながらの風量測定と記録とが難しかった。このような課題は空調系統の風量測定を行う特許文献１に記載されていない。
【０００６】
本発明の一実施形態は、施工現場における排煙系統の風量測定を効率化できる施工管理システム、施工管理方法、携帯端末及びプログラムを提供することを目的とする。
【課題を解決するための手段】
【０００７】
上記した目的を達成するため、本願発明は、風速測定器と連動して排煙口の風量測定を行う１台以上の携帯端末と、排煙時に同時開放される排煙口のグループの風量測定に関する情報及び前記排煙口のグループの風量測定の結果を管理するサーバ装置とが、ネットワークを介して通信を行う施工管理システムであって、前記サーバ装置は、施工現場の図面上の位置を指定した前記排煙口のグループの情報を前記携帯端末に提供する提供手段と、前記携帯端末から受信した前記排煙口のグループの風量測定の結果を保存する保存手段と、を有し、前記携帯端末は、前記サーバ装置から提供された前記排煙口のグループの情報に基づき、前記施工現場の図面上の位置に前記排煙口を表すアイコンで前記排煙口のグループを表示する表示処理手段と、前記風速測定器と連動して前記排煙口の風量測定を行う測定デバイス制御手段と、前記排煙口のグループの風量測定の結果を前記サーバ装置に送信する送信手段と、を有すること、を特徴とする。
【０００８】
また、上記した目的を達成するため、本願発明は、風速測定器と連動して排煙口の風量測定を行う１台以上の携帯端末と、排煙時に同時開放される排煙口のグループの風量測定に関する情報及び前記排煙口のグループの風量測定の結果を管理するサーバ装置とが、ネットワークを介して通信を行う施工管理システムの施工管理方法あって、前記サーバ装置から提供される施工現場の図面上の位置を指定した前記排煙口のグループの情報に基づき、前記施工現場の図面上の位置に前記排煙口を表すアイコンで前記排煙口のグループを前記携帯端末が表示する表示処理ステップと、前記端末装置が前記風速測定器と連動して前記排煙口の風量測定を行う測定デバイス制御ステップと、前記排煙口のグループの風量測定の結果を前記携帯端末が前記サーバ装置に送信する送信ステップと、前記携帯端末から受信した前記排煙口のグループの風量測定の結果を前記サーバ装置が保存する保存ステップと、を実行すること、を特徴とする。
【０００９】
また、上記した目的を達成するため、本願発明は、風速測定器と連動して、排煙時に同時開放される排煙口のグループの風量測定を行う携帯端末であって、前記排煙口のグループの風量測定に関する情報及び前記排煙口のグループの風量測定の結果を管理するサーバ装置から提供された前記排煙口のグループの情報に基づき、前記施工現場の図面上の位置に前記排煙口を表すアイコンで前記排煙口のグループを表示する表示処理手段と、前記風速測定器と連動して前記排煙口の風量測定を行う測定デバイス制御手段と、前記排煙口のグループの風量測定の結果を前記サーバ装置に送信する送信手段と、を有すること、を特徴とする。
【００１０】
また、上記した目的を達成するため、本願発明は、風速測定器と連動して、排煙時に同時開放される排煙口のグループの風量測定を行う携帯端末を、前記排煙口のグループの風量測定に関する情報及び前記排煙口のグループの風量測定の結果を管理するサーバ装置から提供された前記排煙口のグループの情報に基づき、前記施工現場の図面上の位置に前記排煙口を表すアイコンで前記排煙口のグループを表示する表示処理手段、前記風速測定器と連動して前記排煙口の風量測定を行う測定デバイス制御手段、前記排煙口のグループの風量測定の結果を前記サーバ装置に送信する送信手段、として機能させるためのプログラムであることを特徴とする。
【発明の効果】
【００１１】
本発明の一実施形態によれば、施工現場における排煙系統の風量測定を効率化することができるため、排煙系統の風量測定にかかわる施工管理工数が削減され、省力化及び省人化が図られる。
【図面の簡単な説明】
【００１２】
【図１】本実施形態に係る施工管理システムの一例のシステム構成図である。
【図２】本実施形態に係るコンピュータの一例のハードウェア構成図である。
【図３】本実施形態に係るタブレット端末の一例のハードウェア構成図である。
【図４】本実施形態に係る施工管理システムの一例の処理ブロック図である。
【図５】検査アイコン情報の一例の構造図である。
【図６】本実施形態に係る施工管理システムの処理概要の一例を示すフローチャートである。
【図７】事前準備の一例のフローチャートである。
【図８】登録される排煙機のパラメータの一例を示す図である。
【図９】登録された排煙機ごとに用意されるフォルダについて説明する図である。
【図１０】排煙機フォルダ内に登録された施工現場の図面について説明する図である。
【図１１】施工現場の図面上の排煙口の位置にプロットされた排煙口アイコンについて説明する図である。
【図１２】施工現場の図面上への排煙口アイコンのプロットについて説明する図である。
【図１３】メモレイヤーに排煙口アイコンをプロットしたメモの一例のイメージ図である。
【図１４】メモの属性情報の一例の説明図である。
【図１５】排煙口の測定グループを紐づけ線で表した一例のイメージ図である。
【図１６】紐づけ線の配置例を示したイメージ図である。
【図１７】測定グループごとに登録された作業関連データについて説明する図である。
【図１８】測定グループに登録された排煙口アイコンのデータについて説明する図である。
【図１９】測定作業の一例のフローチャートである。
【図２０】排煙機の選択について説明する図である。
【図２１】測定メモの新規作成について説明するための図である。
【図２２】測定作業を行う図面の選択について説明する図である。
【図２３】測定作業を行う測定グループの選択について説明する図である。
【図２４】排煙口ごとの風量測定及び記録について説明する図である。
【図２５】ユーザが排煙口の風量測定を行う様子を表したイメージ図である。
【図２６】風量測定の一例のシーケンス図である。
【図２７】排煙口アイコン更新処理の一例のシーケンス図である。
【発明を実施するための形態】
【００１３】
次に、本発明の実施の形態について、詳細に説明する。
［第１の実施形態］
＜システム構成＞
図１は本実施形態に係る施工管理システムの一例のシステム構成図である。図１に示すように本実施形態に係る施工管理システム１は、サーバ装置１０と、１台以上のＰＣ１２と、１台以上のタブレット端末１４と、１台以上の風速測定器１５と、を有する。サーバ装置１０、ＰＣ１２及びタブレット端末１４はインターネットなどのネットワーク１６により接続されている。また、タブレット端末１４と風速測定器１５とは、Ｂｌｕｅｔｏｏｔｈ（登録商標）などの近距離無線通信によりデータ通信可能である。タブレット端末１４と風速測定器１５とは、有線通信によりデータ通信を行ってもよい。
【００１４】
図１ではＰＣ１２が施工管理を行うユーザの事務所にある例を表す。タブレット端末１４及び風速測定器１５は施工管理を行うユーザにより施工現場に持ち込まれる。ユーザはＰＣ１２を操作し、必要な情報をサーバ装置１０に登録したり、サーバ装置１０から必要な情報を取得して表示させたり、することができる。また、ユーザはタブレット端末１４及び風速測定器１５を操作し、必要な情報をサーバ装置１０に登録したり、サーバ装置１０から必要な情報を取得して表示させたり、することができる。さらに、ユーザは必要な情報をＢＩＭ（ビルディングインフォメーションモデリング）データから読み出して利用することもできる。ＢＩＭデータはサーバ装置１０で管理されていてもよいし、サーバ装置１０以外のサーバ装置で管理されていてもよい。なお、ＢＩＭデータは建物に関するさまざまな情報を一元的に管理する情報である。
【００１５】
ＰＣ１２は、ユーザが事務所において操作するクライアント端末の一例である。事務所において操作するクライアント端末は、スマートフォン、タブレット端末などであってもよい。タブレット端末１４はユーザが施工現場において操作するクライアント端末の一例である。タブレット端末１４は、内蔵又は外付けを問わず、写真撮影機能を有する。施工現場において操作するクライアント端末は、内蔵又は外付けを問わず、写真撮影機能を有しているスマートフォン、ノートＰＣなどであってもよい。
【００１６】
風速測定器１５は、煙を吸い込む排煙口の風速を測定する測定器である。風量は、排煙口の風速と排煙口のサイズ（例えば開口面積（排煙口の面積×開口率）など）から算出される。風速測定器１５はタブレット端末１４にインストールされた後述の風量測定アプリと連動し、風速データを測定して、タブレット端末１４に送信する。
【００１７】
サーバ装置１０は、タブレット端末１４から風量測定の結果を受け付ける機能や、ＰＣ１２及びタブレット端末１４に風量測定の結果を表示するための情報を提供する機能を有する。また、サーバ装置１０は、タブレット端末１４から風量測定の進捗管理のための情報の登録を受け付ける機能や、ＰＣ１２及びタブレット端末１４に風量測定の進捗管理のための情報を提供する機能を有する。なお、図１に示したサーバ装置１０の構成は一例であって、複数のコンピュータに分散して構成するようにしてもよい。
【００１８】
図１の施工管理システム１は、ＰＣ１２とタブレット端末１４とが異なる例を示しているが、例えばＰＣ１２とタブレット端末１４とが同種のクライアント端末でも同一のクライアント端末でもよい。同一のクライアント端末の場合、ユーザは事務所で使用していたクライアント端末を施工現場に携帯して持ち込み、利用する。
【００１９】
＜ハードウェア構成＞
サーバ装置１０、ＰＣ１２は例えば図２に示すようなハードウェア構成のコンピュータにより実現される。図２は、本実施形態に係るコンピュータの一例のハードウェア構成図である。
【００２０】
図２のコンピュータ５００は入力装置５０１、表示装置５０２、外部Ｉ／Ｆ５０３、ＲＡＭ５０４、ＲＯＭ５０５、ＣＰＵ５０６、通信Ｉ／Ｆ５０７及びＨＤＤ５０８などを備え、それぞれがバスＢで相互に接続されている。なお、入力装置５０１及び表示装置５０２は必要なときに接続して利用する形態であってもよい。
【００２１】
入力装置５０１はキーボードやマウス、タッチパネルなどを含み、ユーザが各操作信号を入力するのに用いられる。表示装置５０２はディスプレイ等を含み、コンピュータ５００による処理結果を表示する。
【００２２】
通信Ｉ／Ｆ５０７はコンピュータ５００を各種ネットワークに接続するインタフェースである。これにより、コンピュータ５００は通信Ｉ／Ｆ５０７を介してデータ通信を行うことができる。
【００２３】
また、ＨＤＤ５０８は、プログラムやデータを格納している不揮発性の記憶装置の一例である。格納されるプログラムやデータには、コンピュータ５００全体を制御する基本ソフトウェアであるＯＳ、ＯＳ上で各種機能を提供するプログラムなどがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２４】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２５】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ、ＯＳ設定、及びネットワーク設定などのプログラムやデータが格納されている。ＲＡＭ５０４は、プログラムやデータを一時保持する揮発性の半導体メモリ（記憶装置）の一例である。
【００２６】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置である。サーバ装置１０及びＰＣ１２は、例えば図２に示すようなハードウェア構成においてＣＰＵ５０６がプログラムを実行することにより、後述するような各種処理を実現できる。
【００２７】
タブレット端末１４は例えば図３に示すハードウェア構成により実現される。図３は本実施形態に係るタブレット端末の一例のハードウェア構成図である。図３のタブレット端末１４は、ＣＰＵ６０１、ＲＯＭ６０２、ＲＡＭ６０３、ＥＥＰＲＯＭ６０４、ＣＭＯＳセンサ６０５、加速度・方位センサ６０６、メディアドライブ６０８を備えている。
【００２８】
ＣＰＵ６０１はタブレット端末１４全体の動作を制御する。ＲＯＭ６０２は基本入出力プログラムを記憶している。ＲＡＭ６０３はＣＰＵ６０１のワークエリアとして使用される。ＥＥＰＲＯＭ６０４はＣＰＵ６０１の制御にしたがってデータの読み出し又は書き込みが行われる。ＣＭＯＳセンサ６０５は、写真撮影機能のための画像データの取得機能を実現する。ＣＭＯＳセンサ６０５はＣＰＵ６０１の制御に従って撮影を行い、画像データを得る。ＣＭＯＳセンサ６０５は被写体を撮像することができるのであれば、例えばＣＣＤ（Charge  Coupled  Device）センサであってもよい。加速度・方位センサ６０６は、地磁気を検知する電子磁気コンパスやジャイロコンパス、加速度センサ等である。
【００２９】
メディアドライブ６０８は、フラッシュメモリ等の記録メディア６０７に対するデータの読み出し又は書き込み（記憶）を制御する。メディアドライブ６０８は、既に記録されていたデータが読み出され又は新たにデータが書き込まれて記憶する記録メディア６０７を着脱自在な構成となっている。なお、図３のハードウェア構成は一例であり、メディアドライブ６０８が無い構成であってもよい。
【００３０】
なお、ＥＥＰＲＯＭ６０４には、ＣＰＵ６０１が実行するＯＳ、ネットワーク設定に必要なアソシエーション情報等が記憶されている。本発明の実施形態における各種処理を実行するためのアプリケーションは、ＥＥＰＲＯＭ６０４又は記録メディア６０７などに記憶されている。
【００３１】
さらに、タブレット端末１４は、音声入力部６０９、音声出力部６１０、アンテナ６１１、通信部６１２、無線ＬＡＮ通信部６１３、近距離無線通信用アンテナ６１４、近距離無線通信部６１５、ディスプレイ６１６、タッチパネル６１７及びバスライン６１９を備える。
【００３２】
音声入力部６０９は音声を音声信号に変換する。音声出力部６１０は音声信号を音声に変換する。通信部６１２はアンテナ６１１を利用して無線通信信号により最寄りの基地局装置と通信を行う。無線ＬＡＮ通信部６１３はＩＥＥＥ８０２．１１規格等に準拠する無線ＬＡＮ通信を行う。近距離無線通信部６１５は近距離無線通信用アンテナ６１４を利用したＢｌｕｅｔｏｏｔｈ（登録商標）などの近距離無線通信を行う。
【００３３】
ディスプレイ６１６は、被写体の画像や各種アイコン等を表示する液晶や有機ＥＬ等である。タッチパネル６１７は、ディスプレイ６１６上に載せられ、感圧式又は静電式のパネルによって構成され、指やタッチペン等によるタッチによってディスプレイ６１６上におけるタッチ位置を検出する。バスライン６１９は上記各部を電気的に接続するためのアドレスバスやデータバス等である。
【００３４】
また、タブレット端末１４は専用の電池６１８を備えている。タブレット端末１４は電池６１８によって駆動される。なお、音声入力部６０９は音声を入力するマイクが含まれる。音声出力部６１０は音声を出力するスピーカが含まれている。タブレット端末１４は例えば図４に示すハードウェア構成においてＣＰＵ６０１が後述の風量測定アプリや図面共有アプリなどの各種アプリケーションを実行することにより、後述の各種処理を実現できる。
【００３５】
＜ソフトウェア構成＞
本実施形態に係る施工管理システム１は例えば図４に示すような処理ブロックにより実現される。図４は本実施形態に係る施工管理システムの一例の処理ブロック図である。
【００３６】
サーバ装置１０はプログラムを実行することにより、図面ファイル登録部３１、排煙設備データ登録部３２、検査アイコン情報登録部３３、検査アイコン情報提供部３４、検査アイコン情報更新部３５、テーブル保存部３６、図面ファイル保存部３７、及び排煙設備データ保存部３８を実現している。
【００３７】
図面ファイル登録部３１はＰＣ１２からの図面ファイル登録要求に応じて、施工現場の図面を電子化した図面ファイルを図面ファイル保存部３７に保存する。なお、図面ファイル登録部３１はＢＩＭデータから読み出して、施工現場の図面を電子化した図面ファイルを図面ファイル保存部３７に保存してもよい。排煙設備データ登録部３２はＰＣ１２からの排煙設備データ登録要求に応じて、排煙設備データを排煙設備データ保存部３８に保存する。なお、排煙設備データ登録部３２はＢＩＭデータから読み出して、排煙設備データを排煙設備データ保存部３８に保存してもよい。
【００３８】
検査アイコン情報登録部３３は、ＰＣ１２からの検査アイコン情報登録要求に応じて後述の検査アイコン情報をテーブル保存部３６に保存する。なお、検査アイコン情報登録部３３はＢＩＭデータから読み出して、後述の検査アイコン情報をテーブル保存部３６に保存してもよい。また、テーブル保存部３６に保存される検査アイコン情報の詳細は後述する。
【００３９】
検査アイコン情報提供部３４はタブレット端末１４からの要求に応じてタブレット端末１４に検査アイコン情報を提供する。検査アイコン情報更新部３５は、風量測定が行われると、その風量測定の結果で検査アイコン情報を更新する。検査アイコン情報更新部３５はＰＣ１２やタブレット端末１４で検査アイコン情報の編集操作が行われると、その編集操作により検査アイコン情報を更新する。
【００４０】
検査アイコン情報提供部３４は検査アイコン情報を複数台のタブレット端末１４に提供する。サーバ装置１０は複数台のタブレット端末１４による風量測定の結果を複数のタブレット端末１４に配信し、検査アイコン情報を複数のタブレット端末１４の間で直ちに共有させることができる。
【００４１】
検査アイコン情報更新部３５はテーブル保存部３６に保存された検査アイコン情報を更新する。検査アイコン情報更新部３５は更新した検査アイコン情報を、複数のタブレット端末１４に同時に配信する。テーブル保存部３６は検査アイコン情報を保存している。図面ファイル保存部３７は電子化された施工現場の図面ファイルを保存している。排煙設備データ保存部３８は排煙設備データを保存している。
【００４２】
また、ＰＣ１２はＷＥＢアプリケーションなどのプログラムを実行することで、操作判断部４１、表示処理部４２、図面ファイル登録受付部４３、排煙設備データ登録受付部４４及び検査アイコン情報登録受付部４５を実現している。
【００４３】
操作判断部４１はユーザから受け付けた操作を判断する。表示処理部４２はＰＣ１２の表示装置５０２に後述するような画面を表示させる。図面ファイル登録受付部４３は施工現場の図面ファイルを登録する操作をユーザから受け付けると、その図面ファイルの登録要求をサーバ装置１０に対して行う。排煙設備データ登録受付部４４は排煙設備データを登録する操作をユーザから受け付けると、排煙設備データの登録要求をサーバ装置１０に対して行う。検査アイコン情報登録受付部４５は、ユーザから検査アイコン情報を登録する操作を受け付けると、検査アイコン情報の登録要求をサーバ装置１０に対して行う。
【００４４】
また、タブレット端末１４は図面共有アプリ５０や風量測定アプリ６０などのプログラムを実行する。タブレット端末１４は図面共有アプリ５０を実行することで、操作判断部５１、表示処理部５２、検査アイコン情報取得部５３、図面ファイル取得部５４、アプリ切替制御部５５、測定データ処理部５６、検査アイコン更新処理部５７、及び検査アイコン情報送信部５８を実現している。また、タブレット端末１４は風量測定アプリ６０を実行することで、測定デバイス制御部６１及び測定データ送受信部６２を実現している。
【００４５】
操作判断部５１はユーザから受け付けた操作を判断する。表示処理部５２はタブレット端末１４のディスプレイ６１６に後述するような画面を表示させる。検査アイコン情報取得部５３はサーバ装置１０から検査アイコン情報を取得する。図面ファイル取得部５４はサーバ装置１０から電子化された施工現場の図面ファイルを取得する。
【００４６】
アプリ切替制御部５５は図面共有アプリ５０と風量測定アプリ６０との間のアプリ切り替えを制御する。測定データ処理部５６は風速測定器１５において測定された風速データを処理し、後述の合計測定風速及び合計測定風量を求め、合計設計風速及び合計設計風量との比較による良否判定を行い、検査アイコン情報に反映する。
【００４７】
検査アイコン更新処理部５７は、施工現場の図面上に表示されている検査アイコンの色の制御を行う。風量測定が完了した排煙口（風量測定場所）の検査アイコンの色を、未完了を示す色から完了を示す色に変更する。検査アイコン更新処理部５７は検査アイコンの更新要求をサーバ装置１０に対して行う。検査アイコン情報送信部５８は、タブレット端末１４で更新された検査アイコン情報をサーバ装置１０に送信する。
【００４８】
測定デバイス制御部６１及び測定データ送受信部６２は風量測定アプリ６０により実現されている。図面共有アプリ５０から風量測定アプリ６０に切り替わると、測定デバイス制御部６１はＢｌｕｅｔｏｏｔｈ（登録商標）などの近距離無線通信により測定デバイスである風速測定器１５と連動し、風速データを測定する。測定データ送受信部６２は風速測定器１５で測定した風速データを受信し、その風速データを図面共有アプリ５０に送信する。風速データの測定が終了すると、タブレット端末１４は風量測定アプリ６０から図面共有アプリ５０に切り替わる。
【００４９】
サーバ装置１０のテーブル保存部３６に保存される検査アイコン情報は、例えば図５に示すような構造で管理される。図５は検査アイコン情報の一例の構造図である。図５の検査アイコン情報は、フォルダ名（排煙機）と、メモ名（調整完了日ごとに作成）と、図面データと、測定グループと、排煙口アイコンと、測定日と、測定データとが、階層構造で管理されている。
【００５０】
フォルダ名（排煙機）は、排煙設備データとして登録される排煙機（機器番号）の情報である。メモ名（調整完了日ごとに作成）は排煙設備の調整により変化する測定環境ごとに作成されるメモの情報である。図面データは施工現場の図面ファイルである。測定グループは排煙時に同時開放される排煙口のグループの情報を表している。また、排煙口アイコンは施工現場の図面の排煙口の位置にプロットされるアイコンであって、同一の測定グループのアイコンの情報を表す。測定日は、排煙口アイコンに対応する排煙口の風量測定の測定日を表している。測定データは、排煙口アイコンに対応する排煙口の風量測定の測定データを測定日ごとに表している。
【００５１】
図５の検査アイコン情報の階層構造により、ユーザは各階層ごとに、測定グループや排煙口アイコンに基づいた測定データを取り出すことができる。
【００５２】
＜処理の詳細＞
以下では、本実施形態に係る施工管理システム１の処理の詳細について説明する。
【００５３】
《施工管理システムの処理概要》
本実施形態に係る施工管理システム１は例えば図６の手順により施工現場における排煙系統の風量測定を効率化する。図６は本実施形態に係る施工管理システムの処理概要の一例を示すフローチャートである。
【００５４】
ステップＳ２において、施工現場では排煙設備工事及び各種調整が行われる。排煙設備工事及び各種調整が終わると、施工管理を行うユーザはステップＳ４において、測定計画の策定と、測定作業を行う事前準備を行う。ステップＳ６において、ユーザはステップＳ４の事前準備の資料をもとに測定作業を実施する。
【００５５】
ステップＳ６の測定作業の測定結果がＮＧであった場合（Ｓ８においてＹＥＳ）、施工現場ではステップＳ１０において排煙設備是正工事及び各種調整が行われた後、ステップＳ６に戻り、測定作業を再実施する。つまり、ステップＳ６の測定作業の測定結果がＯＫとなるまでステップＳ６の測定作業とステップＳ１０の排煙設備是正工事及び各種調整が繰り返される。
【００５６】
ステップＳ６の測定作業の測定結果がＮＧでなかった場合（Ｓ８においてＮＯ）、施工管理を行うユーザはステップＳ１２において排煙設備是正工事及び各種調整の結果や測定データの整理を行う。このように、施工管理を行うユーザは、施工現場における排煙系統の風量測定を効率的に行うことができる。
【００５７】
《Ｓ４：事前準備》
施工管理を行うユーザがＰＣ１２から行う事前準備の作業は、例えば図７に示す手順で行われる。図７は事前準備の一例のフローチャートである。ユーザはステップＳ２０においてＰＣ１２から排煙機の登録を行う。なお、ステップＳ２０の排煙機の登録では例えば図８に示すように機器番号ごとに排煙機の以下のパラメータが保存される。
【００５８】
図８は登録される排煙機のパラメータの一例を示す図である。図８では機器番号が「ＳＭＦ−１」及び「ＳＭＦ−２」の排煙機のパラメータが登録された例を示している。図８では排煙機のパラメータの項目として、製造メーカー名、形番等、風量、静圧、電圧、電動機、運転電流、測定風量、調整完了日、メモ欄が登録されている。また、ＰＣ１２は例えば図９に示すように、登録された排煙機ごとにフォルダを作成することで、図８の排煙機のパラメータをフォルダの属性情報として管理する。図９は登録された排煙機ごとに用意されるフォルダについて説明する図である。
【００５９】
ユーザはステップＳ２２においてＰＣ１２から施工現場の図面上に、排煙口アイコンのプロットを行う。まず、ユーザはステップＳ２０の排煙機の登録で作成された排煙機ごとのフォルダ（以下、排煙機フォルダと呼ぶ）内に、例えば図１０に示すように施工現場の図面を電子化した図面ファイルを登録する。
【００６０】
次に、ユーザは施工現場の図面上の排煙口の位置に、例えば図１１に示すように排煙口アイコンをプロットする。なお、図１１の排煙口アイコンに表示されている番号（アイコン番号）は、排煙機（例：ＳＭＦ−１）ごとに通し番号を振ってもよいし、階ごとに通し番号を振ってもよい。
【００６１】
施工現場の図面上への排煙口アイコンのプロットについて図１２を参照しつつ更に説明する。図１２は、施工現場の図面上への排煙口アイコンのプロットについて説明する図である。図１２に示すように、排煙口アイコンのプロットは施工現場の図面上に作成したメモレイヤーに作成される。
【００６２】
作成されたメモレイヤーは、排煙機フォルダごとにメモ一覧として管理される。排煙機フォルダのメモ一覧には、図１２に示すようにアイコンプロットメモ（デフォルト）が含まれている。なお、測定データはアイコンプロットメモ（デフォルト）を複製した測定メモと対応付けられる。測定メモは、排煙設備の調整により変化する測定環境ごとに作成される。
【００６３】
また、排煙機フォルダに複数の図面が登録されている場合、図１３に示すように、それぞれの図面上にアイコンプロットメモ（デフォルト）や測定メモ１（調整Ｎｏ，１）などの同じメモを作成する。図１３は、メモレイヤーに排煙口アイコンをプロットしたメモの一例のイメージ図である。また、メモの属性情報は図１４に示すようになる。図１４はメモの属性情報の一例の説明図である。
【００６４】
測定データは測定環境ごとに記録を行うため、ステップＳ２の排煙設備工事及び各種調整やステップＳ１０の排煙設備是正工事及び各種調整が行われる度に、アイコンプロットメモ（デフォルト）を複製し、記録環境ごとの測定メモを作成できる。図１４に示すようにメモの属性情報の項目には、機器調整情報や調整完了日が含まれる。
【００６５】
また、ユーザはステップＳ２４においてＰＣ１２から排煙時に同時開放される排煙口のグループを測定グループとして登録する。例えばユーザはＰＣ１２から同時開放する排煙口に対応する排煙口アイコンをタップにより選択することで、例えば図１５に示すような排煙口の測定グループを登録できる。図１５は排煙口の測定グループを紐づけ線で表した一例のイメージ図である。また、図１６は紐づけ線の配置例を示したイメージ図である。
【００６６】
図１６に示す紐づけ線は、同一の測定グループとして登録された排煙口アイコンの重心にあたる場所を中心として配置される。例えば同一の測定グループとして登録された排煙口アイコンが２点である場合、紐づけ線は中心に配置する。また、同一の測定グループとして登録された排煙口アイコンが３点以上である場合、紐づけ線は重心に配置する。紐づけ線が排煙口アイコンと被る場合は、紐づけ線をずらして配置してもよい。
【００６７】
さらに、ユーザはステップＳ２６においてＰＣ１２から測定グループごとに、例えば図１７に示すような作業関連データを登録する。図１７は測定グループごとに登録された作業関連データについて説明する図である。図１７では測定グループごとに項目として、アイコンＮｏ、合計風量、完了確認ボタン、作業日、調整完了日、及びメモ欄が登録されている。
【００６８】
図１７の項目「アイコンＮｏ」は、測定グループとして登録された排煙口アイコンのアイコン番号を表している。項目「合計風量」は、測定グループとして登録された排煙口アイコンに対応する排煙口の測定風量を合算した合計測定風量である。項目「完了確認ボタン」は、風量測定の完了を表す完了確認ボタンのＯＮ／ＯＦＦを表している。項目「作業日」は風量測定の作業日時を表す。項目「調整完了日」はステップＳ２の排煙設備工事及び各種調整やステップＳ１０の排煙設備是正工事及び各種調整が完了した日付を表す。項目「メモ欄」はコメントを表している。
【００６９】
さらに、ユーザはステップＳ２６においてＰＣ１２から排煙口アイコンごとに、例えば図１８に示すようなデータを保存する。図１８は測定グループに登録された排煙口アイコンのデータについて説明する図である。図１８では測定グループに登録された排煙口アイコンのデータの項目として、グループＮｏ、排煙口の情報、判定結果、測定日、及びメモ欄が登録されている。
【００７０】
図１８の項目「グループＮｏ」は、排煙口アイコンが登録されている測定グループのグループ番号を表している。項目「排煙口の情報」は、排煙口のサイズ、設置場所、設計風量、設定風速、床面積など、排煙口アイコンに対応する排煙口の情報を表す。項目「判定結果」は、風量測定の判定結果を表す。項目「測定日」は風量測定の測定日時を表す。項目「メモ欄」は、コメントを表している。
【００７１】
図７の処理により、ユーザは施工現場における排煙系統の風量測定を効率化するための事前準備を完了できる。
【００７２】
《Ｓ６：測定作業》
施工管理を行うユーザがタブレット端末１４から行う測定作業は、例えば図１９に示す手順で行われる。図１９は測定作業の一例のフローチャートである。ユーザはステップＳ３０においてタブレット端末１４から排煙機の選択を行う。なお、ステップＳ３０の排煙機の選択は例えば図２０に示すような排煙機フォルダの選択により、測定作業を行う排煙機を選択する。
【００７３】
図２０は排煙機の選択について説明する図である。図２０は、ステップＳ４の事前準備の作業で機器番号が「ＳＭＦ−１」及び「ＳＭＦ−２」の２系統の排煙機が登録された例を示している。ここでは機器番号が「ＳＭＦ−１」の排煙機が選択されたものとして説明を続ける。
【００７４】
ステップＳ３２において、サーバ装置１０はステップＳ３０で選択された排煙機フォルダのアイコンプロットメモ（デフォルト）を複製して、図２１に示すように測定メモを新規作成する。図２１は測定メモの新規作成について説明するための図である。
【００７５】
図２１に示すように、アイコンプロットメモ（デフォルト）は編集不可とする。アイコンプロットメモ（デフォルト）を複製したメモ名「測定メモ１」の測定メモは図１４を用いて説明したメモの属性情報を適宜編集する。例えばステップＳ３２では、例えば機器調整情報、その他調整情報、又は調整完了日の項目が編集される。
【００７６】
ステップＳ３４において、ユーザは例えば次のように測定グループを選択する。図２２は測定作業を行う図面の選択について説明する図である。ユーザは、タブレット端末１４に、例えば図２２（Ａ）のように表示されたメモ名「測定メモ１」の測定メモに紐付く図面から、測定作業を行う図面を選択する。
【００７７】
なお、タブレット端末１４に表示される図面は、図２２のタブレット端末１４に表示されているブックアイコンを選択することで図２２（Ａ）のように図面を表示し、測定作業を行う図面を切り替えることもできる。また、測定作業を行う図面の切り替え方法は図２２（Ａ）の例に限定するものでなく、例えば図２２（Ｂ）に示す階別や図２２（Ｃ）に示す部屋別に図面を切り替えられるようにしてもよい。
【００７８】
そして、ユーザはタブレット端末１４に施工現場の図面を表示した後、例えば図２３に示すように測定グループのリストから測定作業を行う測定グループを選択する。図２３は測定作業を行う測定グループの選択について説明する図である。ユーザは、図２３のタブレット端末１４の画面に表示されている測定グループボタンを押下することで、表示されている図面に登録されている測定グループのリストを表示できる。
【００７９】
例えば図２３の測定グループのリストに表示されているスクロールバーを移動させることにより、例えばパラパラ漫画のように、それぞれの測定グループの表示に遷移させてもよい。また、排煙口アイコンの色を測定作業の進捗状況（例えば、完了、データあり、未測定など）が把握できるように異ならせて表示させてもよい。
【００８０】
ステップＳ３６において、ユーザはステップＳ３４で選択した測定グループの排煙口アイコンに対応する排煙口ごとに風量測定及び記録を行う。図２４ではグループ番号「Ｇ０３」の測定グループが選択された例を示している。図２４は排煙口ごとの風量測定及び記録について説明する図である。
【００８１】
例えば図２４（Ａ）においてユーザは測定グループからアイコン番号「１」を選択することにより、図２４（Ｂ）に示すようにアイコン番号「１」の排煙口アイコンに対応する排煙口の測定作業画面をタブレット端末１４に表示させることができる。また、アイコン番号「１」以外のアイコン番号を選択することで、選択したアイコン番号の排煙口アイコンに対応する排煙口の測定作業画面をタブレット端末１４に表示させることもできる。
【００８２】
ユーザはタブレット端末１４に表示された図２４（Ｂ）のような測定作業画面の排煙口情報や測定作業情報を確認しながら、排煙口の風量測定を行い、測定データとして記録することができる。
【００８３】
図２５はユーザが排煙口の風量測定を行う様子を表したイメージ図である。ユーザは選択した排煙口アイコンに対応する排煙口の下に移動し、タブレット端末１４と風速測定器１５とを連動させて風量測定を行う。
【００８４】
図２６は風量測定の一例のシーケンス図である。ステップＳ４１においてユーザは測定開始操作として、風速測定器１５による測定を開始するための操作を行う。ステップＳ４２においてタブレット端末１４の図面共有アプリ５０は風量測定アプリ６０に測定開始を要求し、風量測定アプリ６０へのアプリ切り替えを行う。
【００８５】
ステップＳ４３に進み、風量測定アプリ６０の測定デバイス制御部６１は風速測定器１５に測定データを要求する。ステップＳ４４において、風速測定器１５は風速データを測定する。ステップＳ４５において、風速測定器１５は測定した風速データをタブレット端末１４の風量測定アプリ６０に返す。
【００８６】
ステップＳ４６に進み、風量測定アプリ６０は、風速データを図面共有アプリ５０に送信する。風速データの測定が終了すると、風量測定アプリ６０から図面共有アプリ５０へのアプリ切り替えが行われる。風速測定は、一つの排煙口に対して、複数箇所で複数回行われる。例えば、排煙口が正方形の場合、その四隅の位置が測定箇所となる。４つの測定箇所のそれぞれにおいて、風速測定が行われる。
【００８７】
ステップＳ４７に進み、タブレット端末１４の図面共有アプリ５０は風速測定器１５において測定された風速データを処理し、測定風速及び測定風量を求める。ステップＳ４８において、ユーザは採用する測定データの選択操作を行う。
【００８８】
図面共有アプリ５０はステップＳ４９に進み、排煙口アイコンの色を風量測定の完了を示す例えば「青」に更新する。ステップＳ５０に進み、図面共有アプリ５０は採用された風量測定の結果が反映された検査アイコン情報をサーバ装置１０に送信する。ステップＳ５１に進み、サーバ装置１０は、採用された風量測定の結果が反映された検査アイコン情報で、テーブル保存部３６に保存されている検査アイコン情報を更新する。
【００８９】
サーバ装置１０は施工現場における排煙系統の風量測定の進捗管理を支援するため、図２７に示す処理により、未測定の排煙口アイコンの色と、完了の排煙口アイコンの色と、が異なる色となるように変化させる。図２７は排煙口アイコン更新処理の一例のシーケンス図である。
【００９０】
ステップＳ１０１において、タブレット端末１４は風量測定が完了した風量測定場所の排煙口アイコンの色を、完了を表す色に変化させる。また、ステップＳ１０２において、タブレット端末１４はステップＳ１０２において、採用された風量測定の結果が反映された検査アイコン情報をサーバ装置１０に送信する。ステップＳ１０３に進み、サーバ装置１０は、採用された風量測定の結果が反映された検査アイコン情報で、テーブル保存部３６に保存されている検査アイコン情報を更新する。ステップＳ１０４に進み、サーバ装置１０は更新した検査アイコン情報を他のタブレット端末１４に配信する。なお、サーバ装置６は、採用された風量測定の結果が反映された検査アイコン情報で、ＢＩＭデータを更新するようにしてもよい。
【００９１】
このように、更新した検査アイコン情報がサーバ装置１０から複数のタブレット端末１４に配信されることで、施工現場での排煙系統の風量測定を複数人のユーザが複数台のタブレット端末１４及び風速測定器１５で行う場合であっても、排煙系統の風量測定を効率化できる。
【００９２】
複数のタブレット端末１４の排煙口アイコンの色が風量測定の完了により変更となるので、複数人のユーザが現場で風量測定を行う場合であっても、風量測定場所に行く前に風量測定の完了／未測定を把握でき、移動時間を無駄にすることがない。風量測定場所や風量測定に必要な情報は、現場管理事務所等において事前に登録されている。このため、施工現場における風量測定作業自体は、施工作業を行う作業員が退出した後の定時時間外に行うことになるが、その風量測定作業を短時間で終わらせることが可能となる。
【００９３】
《Ｓ１２：測定データの整理》
ユーザがＰＣ１２から行う測定データの整理は、現場業務後、事務所に戻り、排煙系統の風量測定の結果をサーバ装置１０からＰＣ１２にダウンロードし、排煙系統の風量測定の結果の確認や、帳票ファイルの出力を行うものである。
【００９４】
本発明は、具体的に開示された上記の実施形態に限定されるものではなく、特許請求の範囲から逸脱することなく、種々の変形や変更が可能である。
【符号の説明】
【００９５】
１    施工管理システム
１０    サーバ装置
１２    ＰＣ（パーソナルコンピュータ）
１４    タブレット端末
１５    風速測定器
１６    ネットワーク
３１    図面ファイル登録部
３２    排煙設備データ登録部
３３    検査アイコン情報登録部
３４    検査アイコン情報提供部
３５    検査アイコン情報更新部
３６    テーブル保存部
３７    図面ファイル保存部
３８    排煙設備データ保存部
４１    操作判断部
４２    表示処理部
４３    図面ファイル登録受付部
４４    排煙設備データ登録受付部
４５    検査アイコン情報登録受付部
５０    図面共有アプリ
５１    操作判断部
５２    表示処理部
５３    検査アイコン情報取得部
５４    図面ファイル取得部
５５    アプリ切替制御部
５６    測定データ処理部
５７    検査アイコン更新処理部
５８    検査アイコン情報送信部
６０    風量測定アプリ
６１    測定デバイス制御部
６２    測定データ送受信部
５００    コンピュータ
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
６０１    ＣＰＵ
６０２    ＲＯＭ
６０３    ＲＡＭ
６０４    ＥＥＰＲＯＭ
６０５    ＣＭＯＳセンサ
６０６    加速度・方位センサ
６０７    記録メディア
６０８    メディアドライブ
６０９    音声入力部
６１０    音声出力部
６１１    アンテナ
６１２    通信部
６１３    無線ＬＡＮ通信部
６１４    近距離無線通信用アンテナ
６１５    近距離無線通信部
６１６    ディスプレイ
６１７    タッチパネル
６１８    電池
６１９    バスライン
Ｂ    バス
【図１】
2020166382.tif 000003
【図２】
2020166382.tif 000004
【図３】
2020166382.tif 000005
【図４】
2020166382.tif 000006
【図５】
2020166382.tif 000007
【図６】
2020166382.tif 000008
【図７】
2020166382.tif 000009
【図８】
2020166382.tif 000010
【図９】
2020166382.tif 000011
【図１０】
2020166382.tif 000012
【図１１】
2020166382.tif 000013
【図１２】
2020166382.tif 000014
【図１３】
2020166382.tif 000015
【図１４】
2020166382.tif 000016
【図１５】
2020166382.tif 000017
【図１６】
2020166382.tif 000018
【図１７】
2020166382.tif 000019
【図１８】
2020166382.tif 000020
【図１９】
2020166382.tif 000021
【図２０】
2020166382.tif 000022
【図２１】
2020166382.tif 000023
【図２２】
2020166382.tif 000024
【図２３】
2020166382.tif 000025
【図２４】
2020166382.tif 000026
【図２５】
2020166382.tif 000027
【図２６】
2020166382.tif 000028
【図２７】
2020166382.tif 000029